(57)【要約】【課題】帯部材のすべてのポケット部が転動部材を保持可能であり、組立性の改善を図ることを可能とする。【解決手段】内輪及び外輪間に配置された玉１２を保持する複数の帯部材１１と、それらの帯部材１１の長手方向に沿って所定間隔に設けられたポケット部１３，２４とを備え、各帯部材１１を厚み方向に湾曲させて連結することにより、略円環状に形成された転がり軸受の分割型保持器であって、第２のポケット部１４の形状は、玉１２の転動方向に沿って湾曲形成された内面１４ａを有し、第１のポケット部１３の形状は、第２のポケット部１４の形状より大きな隙間を持ち、かつ、少なくとも帯部材１１の外径側に、玉１２を保持可能な爪部１３ｂが設けられている。【選択図】        図１
2005069266.tif 000002
【特許請求の範囲】
【請求項１】
内輪及び外輪間に配置された転動部材を保持する複数の帯部材と、
前記帯部材の長手方向に沿って所定間隔に設けられたポケット部とを備え、
前記各帯部材を厚み方向に湾曲させて連結することにより、略円環状に形成された転がり軸受の分割型保持器であって、
前記ポケット部は、２又はそれ以上の複数のポケット形状を有し、
少なくとも一のポケット形状は、前記転動部材の転動方向に沿って湾曲形成された内面を有し、
他のポケット形状は、前記一のポケット形状より大きな隙間を持ち、かつ、少なくとも前記帯部材の内径及び／又は外径側に、前記転動部材を保持可能な爪部が設けられていること、
を特徴とする転がり軸受の分割型保持器。
【請求項２】
請求項１に記載の転がり軸受の分割型保持器において、
前記爪部は、前記帯部材の外周面に、円周方向に凹部を設け、円周方向に対向配置されていること、
を特徴とする転がり軸受の分割型保持器。
【発明の詳細な説明】
【０００１】
【発明の属する技術分野】
本発明は、転がり軸受の分割型保持器に関し、例えば、大径かつ薄肉の転がり軸受に適した分割型保持器に関するものである。
【０００２】
【従来の技術】
従来より、大径かつ薄肉の転がり玉軸受は、内輪及び外輪が接近しているために、複数の帯部材を円環状に配置した分割型保持器が多く用いられている。
【０００３】
図３は、従来の分割型保持器を構成する帯部材の一例を示す図である。
この分割型保持器３０は、図３（Ａ），（Ｂ）に示すように、帯部材３１が転動体である玉３２のピッチに対応するとともに、内輪及び外輪に対して接触しないような適宜な曲率で厚み方向に湾曲している。この帯部材３１は、長手方向に沿って、所定の間隔で複数のポケット部３３が設けられている。このポケット部３３は、厚み方向に同一内径ａで貫通することにより、玉３２を個々に収納可能としている。なお、図３（Ｃ）に示すように、ポケット部３３の内径寸法ａは、帯部材３１の湾曲による変形を考慮して，予め玉３２の直径ｂよりも大きく設定されている。
また、この帯部材３１は、長手方向両端部に設けられた連結部（不図示）で係合され、円管状に連結される。
【０００４】
図４は、従来の分割型保持器を構成する帯部材の他の例を示す図である。
この分割型保持器４０は、図４（Ａ），（Ｂ）に示すように、帯部材４１に第１ポケット部４３と第２ポケット部４４が設けられており、この保持器４０と内輪及び外輪との接触を防止し、かつ、玉４２と、ポケット部４３，４４の内面の衝突音を緩和するとともに、製作誤差に起因する玉４２の拘束による正常な回転の阻害が生じない構造とすることが行われている（例えば、特許文献１）。
ここで、第１ポケット部４３は、図４（Ｃ）に示すように、形状及び寸法が連続する内面４３ａを有し、第２ポケット部４４は、図４（Ｄ），（Ｅ）に示すように、玉４２の転動方向に沿って湾曲形成された内面４４ａを有している。
第２ポケット部４４の内面４４ａは、玉４２の直径寸法ｂに対応した内径寸法ｃを有しており、玉４２の転動方向に沿って湾曲していて、帯部材４１の厚み方向の略中央部から内周面側の開口縁部（図中下方）まで、徐々に玉４２の直径寸法ｂよりも小さい内径寸法ｄとなるように形成されている。
【０００５】
【特許文献１】
特開２０００−６５０６７号
【０００６】
【発明が解決しようとする課題】
しかし、上述した従来の分割型保持器３０，４０は、いずれの帯部材３１，４１も、ポケット部３３，４３にストレートな内面３３ａ，４３ａを有し、内輪又は外輪がない組立時などは、玉３２，４２の保持が難しく、組立時間にロスが生じるという問題があった。
【０００７】
そこで、本発明の課題は、帯部材と内輪、外輪との接触を防止し、かつ、転動部材とポケット部の内面の衝突音を緩和し、さらに、製作誤差に起因する転動部材の拘束による正常な回転を阻害しないと共に、帯部材のすべてのポケット部が転動部材を保持可能であり、組立性の改善を図ることができる転がり軸受の分割型保持器を提供することである。
【０００８】
【課題を解決するための手段】
前記課題を解決するために、請求項１の発明は、内輪及び外輪間に配置された転動部材を保持する複数の帯部材と、前記帯部材の長手方向に沿って所定間隔に設けられたポケット部とを備え、前記各帯部材を厚み方向に湾曲させて連結することにより、略円環状に形成された転がり軸受の分割型保持器であって、前記ポケット部は、２又はそれ以上の複数のポケット形状を有し、少なくとも一のポケット形状は、前記転動部材の転動方向に沿って湾曲形成された内面を有し、他のポケット形状は、前記一のポケット形状より大きな隙間を持ち、かつ、少なくとも前記帯部材の内径及び／又は外径側に、前記転動部材を保持可能な爪部が設けられていること、を特徴とする転がり軸受の分割型保持器である。
請求項２の発明は、請求項１に記載の転がり軸受の分割型保持器において、前記爪部は、前記帯部材の外周面に、円周方向に凹部を設け、円周方向に対向配置されていること、を特徴とする転がり軸受の分割型保持器である。
【０００９】
【発明の実施の形態】
以下、図面等を参照して、本発明の実施の形態について、さらに、詳しく説明する。
（第１実施形態）
図１は、本発明の第１実施形態による分割型保持器の帯部材を示す図である。以下に示す各実施形態では、前述した従来例と同様な機能を果たす部分には、末尾に統一した符号を付して、適宜説明を省略する。
第１実施形態による分割型保持器１０は、図１（Ａ）に示すように、帯部材１１が、所定の厚さを有し、その長手方向に沿って所定間隔で複数（例えば、３つ以上）のポケット部１３，１４が設けられているとともに、図１（Ｂ）に示すように、転動部材である玉１２のピッチ円に対応した曲率で厚み方向に湾曲している。
【００１０】
第１ポケット部１３は、図１（Ｃ）に示すように、内部形状が後述する第２ポケット部１４とほぼ同様であり、玉１２の直径寸法ｃに対応した内径寸法ｄ１を有する凹状の球面１３ａと、帯部材１１の外周面側の開口縁部（図中上方）に設けられた一対の爪部１３ｂとを備えている。
球面１３ａは、玉１２の転動方向に沿って湾曲しており、その内径寸法ｄ１が帯部材１１の厚み方向の概略中央部から内周面側の開口縁部まで、徐々に玉１２の直径寸法よりも小さくなるように形成されている。ただし、第２ポケット部１４の内径寸法ｄ２と比較して、玉１２との隙間が大きく作られている。
【００１１】
また、爪部１３ｂは、図１（Ｄ）に示すように、帯部材１１の外周面に、円周方向に凹部１１ａを設け、円周方向に対向配置されている。なお、爪部１３ｂは、帯部材１１の板厚より上部に設けることができれば、凹部１１ａはなくてもよい。
これにより、玉１２は、この保持器１０に保持され、かつ、製作誤差に起因する拘束を起こさない。
【００１２】
第２ポケット部１４は、図１（Ｅ）に示すように、玉１２の直径寸法ｂに対応した内径寸法ｄ２を有する凹状の球面１４ａと、帯部材１１の外周面側の開口縁部［図１（Ｅ）中上方］に設けられた一対の爪部１４ｂとを備えている。
球面１４ａは、図１（Ｅ）に示すように、玉１２の転動方向に沿って湾曲しており、その内径寸法ｄ２が帯部材１１の厚み方向の概略中央部から内周面側の開口縁部（図中下方）まで、徐々に玉１２の直径寸法ｂよりも小さくなるように形成されている。
爪部１４ｂは、帯部材１１の外周面に凹部１１ｂ［図１（Ａ）参照］を設けることにより、帯部材１１の幅方向に沿って対向配置されている。
凹部１４ｃは、図１（Ｆ）に示すように、玉１２の直径寸法ｂより小さな幅寸法ｃを有し、第２ポケット部１４の外周面側の開口縁部を横断するように形成されている。
【００１３】
第１実施形態によれば、保持器１０と内輪、外輪との接触を防止し、かつ、玉１２とポケット部１３，１４の内面の衝突音を緩和し、さらに、製作誤差に起因する玉１２の拘束による正常な回転を阻害しないと共に、保持器１０のすべてのポケット部１３，１４が玉１２を保持可能な構造とし、組立性の改善を図ることができる。
【００１４】
（第２実施形態）
図２は、本発明の第２実施形態による分割型保持器の帯部材を示す図である。第２実施形態の分割型保持器２０では、図２（Ｃ）に示すように、第１ポケット部２３は、その内部が帯部材２１の厚み方向に沿って形状及び寸法が連続する内筒面２３ａを有し、その内外両面に、爪部２３ｂを備えている。
【００１５】
爪部２３は、その間隔ｄ１が玉２２の外径ｂより小さく、玉２２を保持可能であり、その位置が、帯部材２１の湾曲率誤差が生じても、玉２２の回転を阻害しないような隙間を持っている。
第２ポケット部２４は、第１実施形態と同様の形状を有している。
【００１６】
（変形形態）
以上説明した実施形態に限定されることなく、種々の変形や変更が可能であって、それらも本発明の均等の範囲内である。
（１）転動部材としては、球形状の玉を例に説明したが、円筒形状等の他の形状を例示することができる。
（２）ポケット部の開口形状としては、円形状、矩形状等を例示できる。従って、ポケット部の内面としては、凹状の球面や円弧面に形成しておけばよい。
（３）爪部は、２ヶ所に限ることなく、３ヶ所以上でもよい。また、爪部は、第１，２実施形態ともに、第１ポケット部、第２ポケット部とも、円周方向、軸方向どちらに設けてもよい。
（４）ポケット部の形状は、３種類以上でもよい。
【００１７】
【発明の効果】
以上、詳しく説明したように、本発明によれば、保持器と内輪、外輪との接触を防止し、かつ、転動部材とポケット部の内面の衝突音を緩和し、さらに、製作誤差に起因する転動部材の拘束による正常な回転の阻害が生じないとともに、保持器のすべてのポケット部が転動部材を保持する構造により、組立性の改善が図られる、という効果がある。
【図面の簡単な説明】
【図１】本発明の第１実施形態による分割型保持器の帯部材を示す図である。
【図２】本発明の第２実施形態による分割型保持器の帯部材を示す図である。
【図３】従来の分割型保持器を構成する帯部材の一例を示す図である。
【図４】従来の分割型保持器を構成する帯部材の他の例を示す図である。
【符号の説明】
１０，２０  分割型保持器
１１，２１  帯部材
１２，２２  玉
１３，２３  第１ポケット部
１３ａ，２３ａ  球面
１３ｂ，２３ｂ  爪部
１４，２４  第２ポケット部
【図１】
2005069266.tif 000003
【図２】
2005069266.tif 000004
【図３】
2005069266.tif 000005
【図４】
2005069266.tif 000006